(57)【要約】【課題】プロフィール表示の高速化とピンチロールが３６０度回転しない場合でも全幅の測定を可能としたインフレーション装置を実現することを目的とする。【解決手段】リングダイで成形されたブローンフィルムをピンチロールで折り畳み、折り畳んだブローンフィルムを巻取り機によって巻き取るインフレーション装置において、前記リングダイもしくは前記ピンチロールの少なくとも一方を回動する回動手段と、前記回動手段によって回動されると共に、折り畳まれて合わされたブローンフィルムの特性値を測定するセンサ第１，第２センサと、これら第１，第２センサで得られた特性値と前記ブローンフィルムを折り畳んだ位置情報から、前記ブローンフィルムのプロファイルを演算する演算手段と、を設けた。【選択図】      図１
2007245546.tif 000002
【特許請求の範囲】
【請求項１】
リングダイで成形されたブローンフィルムをピンチロールで折り畳み、折り畳んだブローンフィルムを巻取り機によって巻き取るインフレーション装置において、前記リングダイもしくは前記ピンチロールの少なくとも一方を回動する回動手段と、前記回動手段によって回動されると共に、折り畳まれて合わされたブローンフィルムの特性値を測定するセンサ第１，第２センサと、これら第１，第２センサで得られた特性値と前記ブローンフィルムを折り畳んだ位置情報から、前記ブローンフィルムのプロファイルを演算する演算手段と、を設けたことを特長とするインフレーション装置。
【請求項２】
前記回動手段は、前記リングダイもしくは前記ピンチロールを時計方向（反時計方向）に所定角度回動せしめた後反時計方向（時計方向）に戻す回動をすることを特徴とする請求項１記載のインフレーション装置。
【請求項３】
前記第１，第２センサは、前記折り畳んだブローンフィルムの両端に配置したことを特徴とする請求項１又は２に記載のインフレーション装置。
【請求項４】
前記第１，第２センサの測定する領域が、前記折畳んだ後のブローンフィルムのエッジ部であることを特徴とする請求項１乃至３のいずれかに記載のインフレーション装置。
【発明の詳細な説明】
【技術分野】
【０００１】
本発明は、中空のブローンフィルムを成膜するインフレーション装置に関し、さらに詳しくは、オンラインで正確にブローンフィルムの特性値（例えば厚さ）プロファイルを測定し、均一なブローンフィルムを成膜するインフレーション装置に関するものである。
【背景技術】
【０００２】
このようなインフレーションに関する先行技術としては、例えば下記のようなものがある。      
【０００３】
【特許文献１】特開平２００４−００１３７９号公報
【０００４】
図７は、上記特許文献に開示された従来のインフレーション装置の基本構成図である。図７において、押出機１から押し出されたプラスティック原料は、リングダイ２で円筒状に成膜されたブローンフィルム３ａに成形される。４は給排気装置である。
【０００５】
この円筒状のブローンフィルムはピンチロール５で折り畳まれる。折り畳まれて２枚重ねにフラット化されたブローンフィルム３ｂは、適当な定置ロール６を経由してＰ方向に移送され、巻取り機（図示省略）に巻取られる。
【０００６】
このような円筒状のブローンフィルムの膜厚を均一に制御するためには、膜の厚さを測定しなければならない。厚さ測定は、ブローンフィルムの長さ方向だけでなく、幅方向、すなわち円筒の円周方向に対しても行わなければならない。
【０００７】
厚さを測定するために、厚さを測定するセンサを所定の位置に設置する。従来はピンチロール５（又はリングダイ２）を用いて、例えば３６０度の時計方向に回転させるときに所定の角度（例えば９０度）ごとに等分した仮想的なゾーンを形成する。この形式においては所定角度９０°を４回（例えば３６０゜）時計方向（矢印Ｒ）に回転させた後、反時計方向（矢印Ｒ´）の同一角度回転させる反転往復させることにより各ゾーンの所定位置で畳まれて合わされるブローンフィルムの特性値をセンサで測定していた。
【０００８】
そのため、各ゾーンにおけるブローンフィルムの特性値をセンサで測定する位置を、折り畳まれたブローンフィルムのエッジ部の所定位置Ｓにおいて、２枚重ねの特性（厚さ）を測定していた。
【０００９】
図７において、１０はオッシレーション位置情報部であり、ピンチロール５の回動情報を保持する。１１は折り畳み位置情報部であり、回動情報に基づいてブローンフィルムの折り畳まれる仮想的なゾーン情報を保持する。
【００１０】
１２は演算部であり、折り畳まれるゾーン情報と、折り畳まれたブローンフィルムのエッジ部Ｓにおける２枚重ねの測定値Ｅｉを１／２する演算によりエッジ部の特性値を演算し、円周方向の特性値を推定演算する。この推定演算を全ゾーンにおいて実行し、その統計処理（例えば平均値）で、ブローンフィルム３ａの円周方向の特性値を演算している。
【００１１】
図８は円筒状のブローンフィルム３ａの断面を示したものであり、ピンチロール５（又はリングダイ２）を時計方向（矢印Ｒ）、反時計方向（矢印Ｒ´）に反転往復させてブローンフィルムの円周を４等分（９０°づつ回転）した仮想的なゾーンＺ１，Ｚ２，Ｚ３，Ｚ４を形成させた例を示している。
【００１２】
ゾーンＺ１からＺ４までの測定後、ピンチロールの反転でゾーンＺ４からＺ１の順で測定が実行され、この測定パターンが周期的に繰り返され、各ゾーンの特性値のプロファイル測定が行われる。
【発明の開示】
【発明が解決しようとする課題】
【００１３】
ところで、このような構成のインフレーション装置においては、厚さを測定するためのセンサが一つしかないため、ブローンフィルム３ａの全幅を測定するためにはピンチロール５の回転角度が３６０度反復回転する必要があった。
また、ピンチロールが３６０度回転しないと全幅の測定ができないので時間がかかるという問題があった。
【００１４】
さらに、インフレーション装置の種類によってはピンチロール５の回転角度が３６０度まで回転せず例えば１８０度や２７０度程度しか回転しないものもあり、その場合は全幅の測定ができないという問題があった。
従って本発明が解決しようとする課題は、センサをブローンフィルムの両端に２個設けることによりプロフィール表示の高速化とピンチロールが３６０度回転しない場合でも全幅の測定を可能としたインフレーション装置を実現することにある。    
【課題を解決するための手段】
【００１５】
このような課題を達成するために、本発明のうち請求項１記載のインフレーション装置の発明は、  リングダイで成形されたブローンフィルムをピンチロールで折り畳み、折り畳んだブローンフィルムを巻取り機によって巻き取るインフレーション装置において、前記リングダイもしくは前記ピンチロールの少なくとも一方を回動する回動手段と、前記回動手段によって回動されると共に、折り畳まれて合わされたブローンフィルムの特性値を測定するセンサ第１，第２センサと、これら第１，第２センサで得られた特性値と前記ブローンフィルムを折り畳んだ位置情報から、前記ブローンフィルムのプロファイルを演算する演算手段と、を設けたことを特徴とする。
【００１６】
請求項２においては、請求項１に記載のインフレーション装置において、
前記回動手段は、前記リングダイもしくは前記ピンチロールを時計方向（反時計方向）に所定角度回動せしめた後反時計方向（時計方向）に戻す回動をすることを特徴とする。
【００１７】
請求項３においては、請求項１又は２に記載のインフレーション装置において、
前記第１，第２センサは、前記折り畳んだブローンフィルムの両端に配置したことを特徴とする。
請求項４においては、請求項１乃至３のいずれかに記載のインフレーション装置において、
前記第１，第２センサの測定する領域が、前記折畳んだ後のブローンフィルムのエッジ部であることを特徴とする。    
【発明の効果】
【００１８】
本発明の請求項1乃至４によれば、インフレーション装置において、リングダイもしくはピンチロールの少なくとも一方を回動する回動手段と、回動手段によって回動されると共に、折り畳まれて合わされたブローンフィルムの特性値を測定するセンサ第１，第２センサと、これら第１，第２センサで得られた特性値と前記ブローンフィルムを折り畳んだ位置情報から、前記ブローンフィルムのプロファイルを演算する演算手段と、を設けたので、プロフィール表示の高速化とピンチロールが３６０度回転しない場合でも全幅の測定が可能となる。
【発明を実施するための最良の形態】
【００１９】
以下本発明を図面を用いて詳細に説明する。図１は本発明に係るインフレーション装置の一例を示す要部構成図である。  図１において、なお、図７で説明した従来装置と同じ要素には同一符号を付し、説明を省略する。
【００２０】
本発明の特徴部の第１は、各ゾーンにおけるブローンフィルムの特性値を測定する位置を、折り畳まれたブローンフィルムのエッジ部の両端のエッジに配置し、２枚重ねの特性（厚さ）を２個のセンサで測定する点にある。そして、ピンチロール５（又はリングダイ２）を例えば２７０度時計方向（矢印Ｒ）に回転させた後、反時計方向（矢印Ｒ´）の同一角度回転させる反転往復させることにより、各ゾーンの所定位置で畳まれて合わされるブローンフィルムの特性値をセンサで測定する点にある。
【００２１】
本発明の特徴部の第２は、ピンチロール５（又はリングダイ２）の回転が例えば２７０度あっても３６０度回転した場合と同様のプロファイルが作成できる点にある。
【００２２】
図１において、１０はオッシレーション位置情報部であり、ピンチロール５の回動情報を保持する。１１は折り畳み位置情報部であり、回動情報に基づいてブローンフィルムの折り畳まれる仮想的なゾーン情報を保持する。
【００２３】
１２は演算部であり、折り畳まれるゾーン情報と、折り畳まれたブローンフィルムのエッジ部Ｓにおける２枚重ねの測定値Ｅｉ1及びＥｉ２を１／２する演算によりエッジ部の特性値を演算し、円周方向の特性値を推定演算する。この推定演算を２７０度のゾーンにおいて実行し、その統計処理（例えば平均値）で、ブローンフィルム３ａの円周方向の特性値を演算する。
【００２４】
図２は折り畳まれた各ゾーンにおける測定領域Ｓ1と第１センサ１６および測定領域Ｓ２と第２センサ１７の相対関係を示す模式図ある。（Ａ）ではゾーンＺ１の中央部位置の折り畳みエッジ部Ｓ１でセンサ１６による２枚重ねの特性値測定が実行され、ゾーンＺ３の中央部位置の折り畳みエッジ部Ｓ２でセンサ１７による２枚重ねの特性値測定が実行される。
【００２５】
そして（Ｂ）ではピンチロール５の反時計方向の回転操作でゾーンＺ２のエッジ部Ｓ１でセンサ１６による２枚重ねの特性値測定が実行され、ゾーンＺ４のエッジ部Ｓ２でセンサ１７による２枚重ねの特性値測定が実行される。
次に、第１センサでゾーンＺ３の特性値測定が実行され、第２センサでゾーンＺ1の特性値測定が実行される。
【００２６】
上述のように第１センサ１６でゾーンＺ１，Ｚ２，Ｚ３が測定され、第２センサ１７でゾーンＺ３，Ｚ４，Ｚ1が測定された後、ピンチロールの反転でゾーンＺ４からＺ１の順で測定が実行され、この測定パターンが周期的に繰り返され、各ゾーンの特性値のプロファイル測定が行われる。
【００２７】
図３（ａ〜ｃ）は上述の関係をターンテーブル１５の回転角を用いて示す説明図である。図（ａ，ｂ）において、点線ａは第１センサ１６の測定点1の軌跡であり、−９０度から１８０度まで２７０度回転した後反転する。また、点線ｂは第２センサ１７の測定点２の軌跡であり、−１８０度から９０度まで２７０度回転した後反転し、このような回転および反転動作を繰り返している。
【００２８】
図３（ｃ）は測定点１の軌跡である点線ａに対して測定点２の軌跡である点線ｂの−９０度から０度までの測定値であるＺ4のゾーンの測定値を測定点１の軌跡に取り込んだ状態を示している。
このように第１センサでは測定できないゾーンの測定を第２センサでの測定結果で補完することにより実際には２７０度の回転しかしないにもかかわらず３６０度回転した場合と同じ測定結果を得ることができ、更に２７０度の回転で９０度分早い段階でプロフアァイルを得ることができる。更にＺ１とＺ３のゾーンでは２つのセンサの測定結果が得られるので、平均化やスムージングの演算を行うことにより、より正確な測定結果を得ることができる。
【００２９】
以上の実施例では、回動手段のオッシレーションによりピンチロール５を往復反転又は一方向連続回転させて複数のゾーンを形成する場合を説明したが、リングダイ２側を回動するようにしてもよい。一般的にはピンチロールでは往復回転、リングダイは一方向の回転形態が採用される。
【００３０】
ブローンフィルムの特性値としては、実施例のようにフィルム厚さ測定が一般であるが、それ以外のフィルム特性値、例えば色、地合、透過率等も同様の方法でプロファイル測定が可能である。
【００３１】
なお、本発明が適用されるブローンフィルムの原材料は、ポリプロピレン、ポリエチレンで代表されるポリオレフィンが一般的であるが、吹き上げ法により中空のチューブを成膜することができる原材料であれば他の原材料であってもよい。
【００３２】
ところで、図１に示すようなインフレーションマシンでは、図４に示すように、回転するアクチュエータ（ダイ）から筒状に原料を吐出し、エアーを使って風船状にし、その筒状のものを重ねて製品を製造している。
その場合、原料の吹き出し口はリングダイ２上に円環状に多数のノズル（図示省略）が配置されており、ノズルからの噴出量は装置本体とは別に設けた制御装置からケーブル回線を介して制御されている。
【００３３】
そのため従来では、リングダイ２がピンチロール５の回転に伴って回転し、その回転によってケーブルも動くので配線が困難となりプロファイル制御が行われにくいという問題があった。
【００３４】
図５はこのような問題点を解決したもので、インフレーションマシンのリングダイ２に直接制御ユニットと無線ＬＡＮをつけることによりケーブル配線をなくした概略構成図である。図５において２０はｎ点のノズルの噴出口から原量の噴出し量を制御する噴出し制御手段であり、その制御信号は本体装置とは別に設けた制御用パソコン２１から無線により出力される。
【００３５】
図６はプロファイルデータに基づいてノズル噴出し量の制御を無線により行う１つでもよい)で検出されたフィルムの厚さは制御用パソコン２１に送られる。
制御用パソコン２１では測定されたデータを時系列に並べてプロファイルデータを作成する。このデータは制御手段２０に送信されてプロファイル制御が行われる。また、アドバンス制御手段２２によって適応制御を行うことによりリングダイ２の回転によりねじれた位置が動的に補正されて自動位置補正が実現される。このプロファイルデータ、補正された位置対応データは無線インターフェース２３を介して制御手段２０に送信される。
【００３６】
制御手段２０ではＰＩ制御／ファジー制御／有限制定制御のいずれかの出力演算を行ってノズルの噴出口からの原量の噴出し量を制御する。
このような構成とすることにより、配線が不要な制御が可能となりケーブルの絡みなどのトラブルのないインフレーション装置を実現することができる。
【００３７】
以上の説明は、本発明の説明および例示を目的として特定の好適な実施例を示したに過ぎない。従って本発明は、上記実施例に限定されることなく、その本質から逸脱しない範囲で更に多くの変更、変形を含むものである。
【図面の簡単な説明】
【００３８】
【図１】本発明に係るインフレーション装置の一実施例を示す構成図である。
【図２】折り畳まれた各ゾーンにおける測定領域Ｓ1と第１センサおよび測定領域Ｓ２と第２センサの相対関係を示す模式図ある。
【図３】各ゾーンと第１，第２センサの関係をターンテーブルの回転角を用いて示す説明図である。
【図４】原料の噴出し制御の従来例を示す図である。
【図５】無線通信を用いた制御の一例を示す概略構成図である。
【図６】無線通信を用いた制御の一例を示すブロック構成図である。
【図７】ブローンフィルムを作成する従来のインフレーション装置の基本構成図である。
【図８】円筒状のブローンフィルムの断面を示したものである。
【符号の説明】
【００３９】
１  押出機
２  リングダイ
３ａ  ブローンフィルム（円筒状）
３ｂ  ブローンフィルム（２枚重ね）
４  給排気装置
５  ピンチロール
６  定置ロール
８  センサ
１０  オッシレーション位置情報部
１１  折り畳み位置情報部
１２  演算部
１６  第１センサ
１７  第２センサ
２０  噴出し量制御手段
２１  制御用パソコン
２２  アドバンス制御手段
２３  無線インターフェース
【図１】
2007245546.tif 000003
【図２】
2007245546.tif 000004
【図３】
2007245546.tif 000005
【図４】
2007245546.tif 000006
【図５】
2007245546.tif 000007
【図６】
2007245546.tif 000008
【図７】
2007245546.tif 000009
【図８】
2007245546.tif 000010